(57)【特許請求の範囲】
【請求項１】
住宅用建物（２）の天井（２０）又は壁（２１）に消火用の水（Ｗ）を送給する給水管（６）と消化用ガス（Ｎ）を送給するガス供給管（５）とを配管し、該配管の下流側には水（Ｗ）と消火用ガス（Ｎ）を合流させて放出する放出器（３０）を連結し、該放出器（３０）の下流側に合流した水（Ｗ）と消火用ガス（Ｎ）とを室内に放出し、火災検知センサを兼ねる閉鎖形の複数のスプリンクラーヘッド（３ａ）を設けた消火設備において、各スプリンクラーヘッド（３ａ）の上流側の直近に連結管（９）を介してそれぞれ放出器（３０）を設け、上記放出器（３０）内に消火用ガス（Ｎ）の流速を増大させるようにガス排出端側に向けて内径を徐々に収束させたパイプ状のノズルからなるガス絞路（５０）と、増速された消火用ガス（Ｎ）によって水（Ｗ）を吸引して合流させる合流路（５１）とを形成し、該合流路（５１）は上流側は上記ガス絞路（５０）の外周に形成するとともに下流側は連結管（９）に向かって略直線状に形成し、前記給水管（６）の給水路（５６）を前記ガス絞路（５０）の外周側に開口させ、ガス絞路（５０）からの増速された消火用ガス（Ｎ）の噴出によって前記ガス絞路（５０）の外周の合流路（５１）を負圧にして給水路（５６）より水を吸引させ、スプリンクラーヘッド（３ａ）に水（Ｗ）を放出してスプリンクラーヘッド（３ａ）より水（Ｗ）を噴出させる構成とした住宅用消火設備。
【請求項２】
ガス供給管（５）に窒素ガスボンベ（４）に連結して消火用ガスとして窒素ガス（Ｎ）を供給する請求項１の住宅用消火設備。
【発明の詳細な説明】
【０００１】
【発明の属する技術分野】
本発明は、一般住宅等の建物に設置可能な消火設備に関する。
【０００２】
【従来の技術】
従来、建物に設置されて火災の発生を検知したとき、二酸化炭素，窒素，アルゴン等の消火ガスと水を同時に放出する消火設備は、特開平８−２６６６７７号公報に示されるように既に知られている。
またこのような消火ガスを共に送給する際の水の送給手段は、ポンプ送水或いは貯水タンクに溜めた水道水を、ガス加圧する等の方式によって行われることが一般的である。
【０００３】
【発明が解決しようとする課題】
然し、上記公報のような構成による消火設備は、消火ガス放出用のガス放出ノズルから放出した消火ガスを、該ガス放出ノズルとは別個に設けた水噴霧ノズルから放射する霧状の水で取り巻くように単独に送水する方式であるため、水を勢いよく放射するための送水ポンプやガス加圧式の貯水タンク等を特別に必要としたり、消火ガスノズルと噴霧ノズルとを並設した複雑なノズル（スプリンクラーヘッド）構造になる等、消火設備が複雑化し高価なものになる等の欠点がある。  また上記のような消火設備は、消火ガスと水を併用するので消火効果に優れている利点はあるが、一般家庭の住宅で使用される二次側水道水を直接的に利用しようとすると、水道圧が低いこと及び引込み管径が小さいこと等から、放射水の勢いや量に不足をきたし消火能力が充分とはいえず、一般住宅用の簡易型の消火設備としても設置を簡単に行うことができず、住宅の防災普及を困難にしている等の問題がある。
【０００４】
【課題を解決するための手段】
上記従来の問題点を解消するために本発明による消火用設備は、第１に、住宅用建物２の天井２０又は壁２１に消火用の水Ｗを送給する給水管６と消化用ガスＮを送給するガス供給管５とを配管し、該配管の下流側には水Ｗと消火用ガスＮを合流させて放出する放出器３０を連結し、該放出器３０の下流側に合流した水Ｗと消火用ガスＮとを室内に放出し、火災検知センサを兼ねる閉鎖形の複数のスプリンクラーヘッド３ａを設けた消火設備において、各スプリンクラーヘッド３ａの上流側の直近に連結管９を介してそれぞれ放出器３０を設け、上記放出器３０内に消火用ガスＮの流速を増大させるようにガス排出端側に向けて内径を徐々に収束させたパイプ状のノズルからなるガス絞路５０と、増速された消火用ガスＮによって水Ｗを吸引して合流させる合流路５１とを形成し、該合流路５１は上流側は上記ガス絞路５０の外周に形成するとともに下流側は連結管９に向かって略直線状に形成し、前記給水管６の給水路５６を前記ガス絞路５０の外周側に開口させ、ガス絞路５０からの増速された消火用ガスＮの噴出によって前記ガス絞路５０の外周の合流路５１を負圧にして給水路５６より水を吸引させ、スプリンクラーヘッド３ａに水Ｗを放出してスプリンクラーヘッド３ａより水Ｗを噴出させる構成としたことを特徴としている。
【０００５】
第２に、ガス供給管５に窒素ガスボンベ４に連結して消火用ガスとして窒素ガスＮを供給することを特徴としている。
【０００６】
【発明の実施の形態】
本発明の一実施形態を図面に基づいて説明する。図１に示す１は、一般的な住宅等の建物２に配管設置可能な本発明に係わる消火設備であり、この消火設備１は、建物２の天井２０或いは壁２１に取着されたスプリンクラーヘッド３ａを有する放出装置３と、屋外に設置された窒素ガスボンベ４と連結し、その内部に加圧状態で収容している消火用ガスとしての窒素ガスＮを放出装置３に送給するガス送給管５と、水道本管の引込管６ａに通じ水道水Ｗを放出装置３に送給する給水管６と、火災の発生を検知して窒素ガスＮと水Ｗを放出作動させる消火作動構造７等から構成している。
【０００７】
これにより、消火設備１は上記消火作動構造７が火災の発生を検知し作動すると、窒素ガスＮと水Ｗをガス送給管５及び給水管６に各別に送給し、両者を放出装置３を介して合流増速させ、スプリンクラーヘッド３ａから窒素ガスＮと水Ｗとを勢いよく混合状態で放出することにより、簡潔で廉価な構成を以て消火を的確且つ速やかに行うことができるようにしている。
【０００８】
上記各部の詳細な構成を、先ず図２を参照し放出装置３について説明すると、放出装置３は放出器３０と後述するスプリンクラーヘッド３ａとからなり、該放出器３０は平面視で略Ｔ字状とし、その各端部に建物２に配管されるガス送給管５と給水管６、及びスプリンクラーヘッド３ａを合流管（連結管）９を介して着脱可能に設ける構成とし、各部品の製作及び組付け分解等を行い易くしている。
【０００９】
また上記放出器３０はその内部に、ガス送給方向の上流側と下流側に窒素ガスＮの流速を増大させるガス絞路５０と、増速された窒素ガスＮに水Ｗを合流させる合流路５１を略直線状に形成すると共に、該ガス絞路５０と合流路５１の各端部にガス送給管５とスプリンクラーヘッド３ａを着脱可能に取着する取付部５２，５３を形成し、合流路５１の上流側の側方に給水管６を着脱可能に取着する取付部５５を設けるようにしている。
【００１０】
即ち、図示例のガス絞路５０は、取付部５２の管径から放出器３０の中途部に向けて徐々に収束すると共に、収束部に小径の整流路５７を所定の長さに形成することにより、ガス送給方向の上流側がら所定の圧力で送給される窒素ガスＮを小径の孔で絞りながら加速して流速を高め、合流路５１の中心部に向けて略直線状に勢いよく加圧噴出することができるようにしている。
また合流路５１は、整流路５７の下流側で取付部５３側に向けて徐々に拡開する形状にすることにより、窒素ガスＮと水Ｗとの混合を促進させるようにしていると共に、その上流側の一側に給水管６側に通ずる給水路５６を開設することにより、水Ｗを合流路５１内で水道圧で送給しながら、加速した窒素ガスＮに良好に合流させることができるようにしている。
【００１１】
またこのとき給水路５６は、合流路５１に対し、ガス送給方向上流側から下流側に向けて傾斜状に指向する水路となるように、ガス絞路５０と給水路５６との間で下流側に指向する先鋭な仕切壁５８を設けて臨ませるとよく、この場合には、給水管６から送給される水Ｗを窒素ガスＮの流れに直交させることなく、これと斜めから同方向に送給させるので、水Ｗは窒素ガスＮの流れに乗せて給水路５６から水圧に加えて効率よく吸い出すことができ、水Ｗの送出を加圧送出する上での特別な送出ポンプ装置等を特に要することなく、水Ｗと窒素ガスＮとの合流混合を良好に行って、スプリンクラーヘッド３ａに開設している多数のノズル孔から水Ｗを小さな水滴（水粒）と霧化した状態（霧化水）で、加圧した窒素ガスＮの噴出力を加えて長距離に勢いよく放出することができる。
【００１２】
また図１に示す実施形態における窒素ガスボンベ４は、窒素ガスＮを１５気圧程度に圧縮した状態で収容しているところの、一般的に汎用されている簡便廉価型のボンベを採用しており、この窒素ガスボンベ４を建物２の外部に設置保管した状態で、その頭部に前記ガス送給管５を連結している。
そしてガス送給管５は、その基部側に窒素ガスＮを２〜３気圧程度の管路所定圧力に減圧調節を可能とする減圧弁４０と、ガス送給管５内の窒素ガスＮの流れを検知して、後述する消火作動構造７の送水弁７０を作動させるガス流検知センサ４１とを設けていると共に、該窒素ガスボンベ４と連結するガス送給管５は上方に延長した部位から屈曲させて天井２０の裏側に沿わせ、建物２の台所や居間等の各部屋２ａに、放出装置３を設置可能に配管している。
【００１３】
尚、上記減圧弁４０のガス送給方向の上流側と下流側には、手動操作でガスの供給及び停止を行うことの可能な気圧表示メータ付の開閉弁４２，４３を各設けており、該開閉弁４２，４３は消火設備１が通常時（消火待機使用状態）には開状態にしていると共に、これを閉鎖することにより、消火設備１の点検や組付け及び分解並びに窒素ガスボンベ４の交換等の、メンテナンス作業を簡単に行うことができるようにしている。
【００１４】
またこの図示例において給水管６は、前記ガス流検知センサ４１の近傍において、引込管６ａからメーター６ｂを介して建物２内に配管される二次側水道管６ｃの中途部で分岐させた管路にしていると共に、分岐させた基部側に消火作動構造７の前記送水弁７０とを設置し、その延長側を壁２１及び天井２０に沿設するようにし、これにより上記消火作動構造７と窒素ガスボンベ４、並びに減圧弁４０や開閉弁４２，４３等の各操作部類を所定の一か処にまとめ、保守点検や窒素ガスボンベ４の交換等のメンテナンス作業を行い易くしている。
【００１５】
また、送水弁７０の給水方向上流側と下流側には、手動操作型の開閉弁７２と一方向弁７３とを各設け、メンテナンス作業を行い易くしていると共に、消火作動構造７を簡潔にすることができるようにしている。
尚、上記一方向弁７３はラバーシート弁を採用して、水Ｗの送水を妨げることなく、ガス送給管５と放出器３０を介して連通状態にある窒素ガスＮの二次側水道管６ｃ側への流入を、的確に防止することができるようにしている。
【００１６】
次に同図に示す前出の消火作動構造７について説明する。この消火作動構造７は、ガス送給管５の窒素ガスボンベ４側に設置しガス放出に伴うガス流を検知するガス流検知センサ４１と、二次側水道管６ｃから分岐させた給水管６の分岐基部側に設けた電磁開閉型の送水弁７０とを、制御ボックス７１に接続すると共に、放出装置３のスプリンクラーヘッド３ａを火災検知センサを兼ねる閉鎖型スプリンクラーヘッドにした構成にしている。
【００１７】
これにより、上記スプリンクラーヘッド３ａの火災検知センサとしての感熱部３ｂが、設定された略７２℃程度に加熱され火災であることを検知して作動すると、スプリンクラーヘッド３ａのノズル孔を開放することから、該ノズル孔から先ず窒素ガスＮを放出し、これに伴うガス送給管５内の窒素ガスＮの流動を、前記ガス流検知センサ４１が検知し、これに基づく信号で制御ボックス７１を介し通常時は止水状態にしている電磁弁型の送水弁７０を開き作動させ、二次側水道管６ｃから一般的な水道圧を以て給水管６内に水Ｗを自動的且つ速やかに送給する。
次いで、既述のようにガス送給管５と給水管６を連結すと共に、スプリンクラーヘッド３ａを備えた放出器３０内で、窒素ガスＮと水Ｗが合流混合し、両者をスプリンクラーヘッド３ａから混合状態で勢いよく放出する。
【００１８】
従って、消火設備１を従来のもののように送水ポンプやガス加圧式の貯水タンク等を特別に必要とすることなく、簡潔で廉価な構成にすると共に、火災検知によって的確に作動させることができ、長期間の使用においても故障やトラブル等の発生を防止した、高性能で簡潔廉価型の住宅設置用として好適な消火設備１にすることができる。
また上記のような構成にしたことにより、ガス送給管５及び給水管６は放出器３０を介し、組付けや分解も簡単に行うことができるから施工が簡単であると共に、既設の一般的な住宅に対しても、後付け作業による消火設備１の設置を容易に行うことができる等の特徴がある。
尚、この実施形態においてガス流検知センサ（流動センサ）４１は、リード弁傾動スイッチ型やフロースイッチ型のものを採用するとよく、例えばリード弁傾動スイッチ型の場合には、ガス送給管５内のガス流によってリード弁が同方向に傾動すると作動信号を的確に発信するので、故障や停電時等の作動トラブルを伴うことがないものであると共に、装置全体の構成を簡潔で廉価なものにすることができる等の利点がある。
【００１９】
次に以上のように構成した本発明の使用態様並びに消火時の動作等について説明する。
先ず通常時において消火設備１は、建物２に配設したガス送給管５内に、窒素ガスＮを窒素ガスボンベ４から減圧弁４０を介し所定のガス圧力で送給し、スプリンクラーヘッド３ａの感熱部３ｂで封止した消火待機状態にあり、このとき消火作動構造７のガス流検知センサ４１がＯＦＦであることから、給水管６は送水弁７０が閉状態で二次側水道管６ｃからの送水を停止した消火待機状態にある。
【００２０】
そして火災が発生した際には、当該部屋２ａに設置された火災検知センサ３Ｓを兼ねた閉鎖型のスプリンクラーヘッド３ａが、設定された略７２℃程度の加熱温度で検知作動すると、スプリンクラーヘッド３ａのノズル孔が感熱部３ｂによって開放され該ノズル孔から窒素ガスＮを放出する。
次いでガス送給管５内には窒素ガスボンベ４から窒素ガスＮが順次送給され、この管内のガス流動開始をガス流検知センサ４１が検知し、その検知信号で制御ボックス７１を介し送水弁７０を開動し、二次側水道管６ｃから給水管６内に水Ｗを送給し、スプリンクラーヘッド３ａから窒素ガスＮと水Ｗを共に速やかに放出する。
これにより、窒素ガスＮと水Ｗは、ガス送給管５及び給水管６に各別に送給しながら放出装置３の放出器３０を介して合流混合し、スプリンクラーヘッド３ａのノズル孔から窒素ガスＮと水Ｗを混合状態で勢いよく放出するので、火災発生時の火元を的確に消火することができ、初期消火を確実且つ速やかに行うことができる。
【００２１】
即ち、上記放出器３０は既述のガス絞路５０によって、ガス送給管５から送給される窒素ガスＮを、ガス送給方向の上流側から絞り加速して流速を高め、合流路５１の中心部に向けて勢いよく噴出するとき、窒素ガスＮは給水管６から合流路５１への水Ｗの送給を促すと共に、該合流路５１内で水Ｗを水粒状に分解しながらこれと良好に混合させることができ、水道圧にガス圧を加え増速させた水Ｗと窒素ガスＮを、スプリンクラーヘッド３ａのノズル孔から外周遠方に向けて均一に散布しながら勢いよく放出させることができる。
【００２２】
従って、これによれば同一のスプリンクラーヘッド３ａを用い、水Ｗを一般的な管径（略１３ｍｍ程度）の給水管６から水道圧のみで毎分２０〜３０リットル程度放出した場合に、小径な二次側水道管（引込み管）による送水量低下も伴い水粒の放水半径が約１．７ｍ程度であったものが、上記放出器３０を介しその直近に設けたスプリンクラーヘッド３ａから水Ｗを窒素ガスＮと共に放出すると、スプリンクラーヘッド３ａを中心に周囲に約３ｍ程度に勢いよく放出することができたものであり、例えば和室８畳の部屋の天井中央部にスプリンクラーヘッド３ａを１個だけ設けとしても、水Ｗの水粒を火元に連続的に充分に到達させて冷却消火を確実にすることがきたものである。
【００２３】
また部屋の高さが略２．５ｍの場合に部屋容積は約３２．４立方メートルとすると、この場合の空気中の窒素ガス量は略７５％程度であるが、これが例えば消火設備１が火災時に約１０分間作動すると、室内の窒素ガス量を８５％程度に上昇させるので、室内の相対的な酸素量が降下し非酸化雰囲気にして、窒素ガスＮによる消火作用が冷却作用と共に促進されて、室内の消火を的確且つ速やかに行うことができるものである。
またこれにより、消火に要する水Ｗの過剰使用を低減し、建物２や家具等の水損をも効果的に防止することができたものである。
【００２４】
またこの際、水Ｗと共に放出する窒素ガスＮは、水Ｗを一部霧化状態（霧化水）にして放出するので、これが室内に浮遊した状態で火災時に生ずる煙との接触を広い範囲で促進することができ、霧化水が室内に充満する煙を吸着しその滞留を可及的に抑制しながら、煙中に含有される有害成分の除去を具合よく行うと共に、煙害を早急に低減させるので、退避行動や別途行われる消火活動等をトラブルなく円滑に行うことができる等の利点がある。
【００２５】
一方、以上のような消火作用を行うところの消火設備１は、窒素ガスＮを収容した窒素ガスボンベ４に連結したガス送給管５と、二次側水道管６ｃから分岐させた給水管６とを建物２に配管するに、ガス送給管５と給水管６とを窒素ガスＮと水とを合流させる放出器３０で連結すると共に、該放出器３０の合流下流側の直近に、火災検知センサを兼ねる閉鎖型のスプリンクラーヘッド３ａを設け、該スプリンクラーヘッド３ａの火災検知による作動によって、水と窒素ガスＮとを混合させて放出させる消火作動構造７を設け、二次側水道管６ｃの水Ｗに窒素ガスＮを合流混合し、消火を確実に行うことができるようにしているので、消火設備１の構造及び配管設置作業等を廉価で省力的に行うことができるものである。
【００２６】
即ち、上記のような構成にしたことにより、給水管６を二次側水道管６ｃと略同径或いはこれより小径の管を用いた配管によっても、確実な消火を可能にすることができると共に、スプリンクラーヘッド３ａの近傍で放出器３０に、給水管６とガス送給管５を連結するので、天井２０や壁２１の裏側の空間部内に簡単且つコンパクトな状態で設置することができるから、消火設備１を簡潔な構成にしながら簡単に設置することができ、住宅設置用に好適なものにして一般住宅への消火設備１の普及を促進する等の利点がある。
【００２７】
またこの際、給水管６とガス送給管５との固定は、スプリンクラーヘッド３ａの取付固定或いは放出器３０の取付固定に兼ねて行うと、その配管及び取付け作業を能率よく簡単に行うことができるものである。
そして、消火設備１は通常時において、給水管６には水Ｗを通水することなく空の状態にしたまま、ガス送給管５に窒素ガスＮを封止した消火作動構造７で消火待機状態にしているので、給水管６に水Ｗを常時通水することによる凍結防止等の煩雑な管理等も省力することができる等の利点がある。
【００２８】
さらに、上記のように構成した放出器３０は、図３に示すように取付部５３に屈折した合流管９を介挿してスプリンクラーヘッド３ａを設けたり、ガス絞路５０及び合流路５１の構成を図４に示すようにすることができる。
即ち、図３に示すように放出器３０に屈曲した合流管９を設けると、放出器３０を例えば天井２０或いは壁２１に沿わせた横姿状にすることができて、放出器３０の取付固定を天井２０等の広い取付面に対し、簡単且つ安定よく行うことができると共に、スプリンクラーヘッド３ａを該取付面から直交状に或いは所望の取付角度を有して、消火方向に適応させた任意な方向に向けて、自由に設置することができる等の利点がある。
尚、放出器３０は同図の点線で示すように、取付部５２側を取付部５５側と略同方向に一体的に屈曲形成したり、放出器３０の適所に取付孔を有する取付片８を設けるようにしてもよいものである。
【００２９】
また図４（Ａ）で示すように放出器３０は、その給水路５６をガス絞路５０の下流側の周囲に複数形成し、各給水路５６に複数の給水管６から水Ｗを送給するようにしてもよく、この場合にはガス絞路５０から送給される窒素ガスＮの勢いを利用して、大量の送水を円滑に行うことができると共に、所望の給水路５６から適宜な消火剤を簡単に送給することができる等の利点がある。
また同図（Ｂ）で示すように放出器３０のガス絞路５０は、合流路５１内に別部材で形成されたパイプで構成してもよく、この場合には放出器３０の孔開け加工或いは鋳造加工等を簡単にすることができるものである。
【００３０】
そして、上記のように構成した放出器３０は、図５，図６に示すように建物２の所望の箇所に自由に設置することができて、高性能な廉価型の消火設備１を提供することができるものである。
即ち、放出器３０は横姿にすると、空間部が狭い天井２０の裏側に対しても、給水管６とガス送給管５とを備えた状態で側方から挿入する等の手段を以て、簡単に設置することができるので、既設の住宅等の建物２に対し放出装置３を簡単に設置することができる等の利点がある。
【００３１】
また放出装置３を天井２０及び壁２１の外側面に設置する場合には、図６で示すように放出器３０を、その取付片８を取付ネジ８ａを介して壁外面に取付固定することにより簡単に設置することができる。
尚、このとき放出器３０及びガス送給管５，給水管６は、カバー８ｂで覆うようにすると外観を損なうことなく向上させることができる。
【００３２】
また図示例の消火設備１は、スプリンクラーヘッド３ａの感熱部３ｂを消火作動構造７の火災を検知する火災検知センサ３Ｓにしたが、これに限ることなく大型消火設備で使用されるような開放型のスプリンクラーヘッド３ａを用いる場合等には、火災検知センサ３Ｓは別途汎用されている温度検知専用型のセンサを設け、該センサが火災を検知したとき、窒素ガスＮ及び水Ｗを送給する制御弁を開動するようにしてもよいものであり、この場合にも放出装置３は効果的に使用することができるものである。
【００３３】
さらに本発明によれば、通常時は給水管６側を止水状態にして、火災検知センサを兼ねる閉鎖型のスプリンクラーヘッド３ａの作動に伴う、ガス送給管５内の窒素ガスＮの流動によって水Ｗを送給するように消火作動構造７を構成したが、これに限定することなく必要により、給水管６側を通水状態にすると共にガス送給管５側をガス止め状態にして、スプリンクラーヘッド３ａの作動に伴う給水管６内の水Ｗの放出流動によって、ガス送給管５内に窒素ガスＮを送給するようにしてもよいものであり、何れにおいても、前記温度検知専用型のセンサを設け、該センサが火災を検知したとき、窒素ガスＮ及び水Ｗを送給する制御弁を開動作動させる消火作動構造にした場合よりも、消火設備１の構成を簡潔にしそのランニングコストも低減することができると共に、誤動作等も良好に防止することができる。
【００３４】
即ち、この場合には図１で示す、給水管６側の送水弁７０をガス流検知センサ４１と同様な働きを有する水流検知センサに置き換えると共に、ガス送給管５側のガス流検知センサ４１を送水弁７０と同様な働きを有する電磁送ガス弁に置き換える等の簡単な構造によって行うことができ、窒素ガスＮと水Ｗを前記放出器３０によって既述のものと同様に合流混合して高性能な消火を行うことができるものである。
また給水管６には水Ｗを常時満たしているので、プラスチック材からなるパイプの使用も、初期消火を重視される住宅用消火設備用として可能であり、この場合には特に廉価で耐久性のある一般的に市販されている耐衝撃性ビニール管を用いると、住宅に簡単且つ廉価に設置することができるものである。
尚、この実施形態では住宅に好適な消火設備１として窒素ガスＮを使用したが、上記放出装置３は窒素ガスＮに限ることなく必要により、在来のものと同様に二酸化炭素，ハロン等の消火ガスを用いた消火設備にも好適に使用することができるものである。
【００３５】
【発明の効果】
本発明は以上のような消火用設備及びその放出器にしたことにより、次のような効果を奏することができるものである。
初期消火を確実且つ速やかに行うことができると共に、簡潔で廉価型の消火設備を提供することができる。
【００３６】
また消火設備の作動を、スプリンクラーヘッドの作動に伴うガス送給管内の窒素ガスの流動によって、通常時は止水状態にしている給水管に水を送給するようにしたことにより、消火作動構造を簡潔にしながら消火設備の設置を簡単にすることができる。
【００３７】
またガス送給方向の上流側と下流側に、消火用ガスの流速を増大させるガス絞路と、消火用ガスと水を合流させる合流路を形成し、スプリンクラーヘッドから消火用ガスと水を混合状態で放出させるように放出器を構成したことにより、窒素ガスと水とを良好に合流させてスプリンクラーヘッドから勢いよく放出するので、水道水を利用した消火を適切に行うことができると共に、水損等を抑制することができる。
【００３８】
さらに、スプリンクラーヘッドを、放出器の合流路に連結することにより、狭い天井裏等への設置や壁面への放出器並びにガス送給管及び給水管等の設置を簡単に行うことができ、住宅設置用に好適な消火設備を提供することができる。
【図面の簡単な説明】
【図１】  本発明の消火設備を建物に設置した構成を示す側面図。
【図２】  放出器の構成を示す断面図。
【図３】  放出器を横姿で用いる態様を示す斜視図。
【図４】  （Ａ）は放出器の別実施形態を示す断面図。（Ｂ）は放出器のさらに別実施形態を示す断面図。
【図５】  図３の放出器を室内に設置する態様を示す斜視図。
【図６】  図５の放出器の取付固定状態を示す断面図。
【符号の説明】
１    消火設備
２    建物
３    放出装置
３ａ  スプリンクラーヘッド
３ｂ  感熱部
３Ｓ  火災検知センサ
４    窒素ガスボンベ
５    ガス送給管
６    給水管
６ｃ  二次側水道管
７    消火作動構造
８    取付片
９    合流管
３０  放出器
４１  ガス流検知センサ
５０  ガス絞路
５１  合流路
５２，５３，５５  取付部
７０  送水弁
Ｎ    窒素ガス
Ｗ    水（水道水）
【図１】
0003885924.tif 000002
【図２】
0003885924.tif 000003
【図３】
0003885924.tif 000004
【図４】
0003885924.tif 000005
【図５】
0003885924.tif 000006
【図６】
0003885924.tif 000007